(57)【要約】【課題】読み取った原稿をユーザが期待する原稿の向きでファイル化して送信可能にし、ユーザによる再送信の負担を軽減し、操作性の向上を図ること。【解決手段】ＣＰＵ１０１が、スキャナ１０９により原稿から原稿画像を読取り、原稿画像の原稿方向を検知し、原稿画像の原稿方向を検知できなかった場合に原稿画像を表示して該原稿画像の原稿方向の選択を受け付けて該選択された原稿方向から前記原稿画像の回転角度を設定する第１の回転角度設定、又は、原稿画像の原稿方向を検知できた場合に該検知された原稿方向から前記原稿画像の回転角度を設定する第２の回転角度設定にて、設定された回転角度に従って前記読み取られた原稿画像の回転処理を行い、回転処理された原稿画像を送信するように制御する。【選択図】図１
2012044345.tif 000002
【特許請求の範囲】
【請求項１】
原稿から原稿画像を読取る読取手段と、
前記読取手段により読み取られた原稿画像の原稿方向を検知する検知手段と、
前記検知手段が原稿画像の原稿方向を検知できなかった場合、前記読取手段により読み取られた原稿画像を表示して該原稿画像の原稿方向の選択を受け付ける選択手段と、
前記選択手段により選択された原稿方向から前記原稿画像の回転角度を設定する第１の回転角度設定手段と、
前記検知手段が原稿画像の原稿方向を検知できた場合、該検知された原稿方向から前記原稿画像の回転角度を設定する第２の回転角度設定手段と、
前記第１の回転角度設定手段又は前記第２の回転角度設定手段により設定された回転角度に従って前記読取手段により読み取られた原稿画像の回転処理を行う回転手段と、
前記回転手段により回転処理された原稿画像を送信する送信手段と、
を有することを特徴とする画像形成装置。
【請求項２】
原稿から原稿画像を読取る読取手段と、
読取手段による読取り処理における画質設定及び解像度設定を受け付けつ読取設定手段と、
前記読取手段による原稿の読取り前に、前記読取設定手段により設定された画質設定が特定の設定の場合、又は、前記読取設定手段により設定された解像度設定が特定の解像度より低い解像度の場合、前記読取手段により読み取られる原稿画像の原稿方向の選択を受け付ける選択手段と、
前記読取手段により読み取られた原稿画像の原稿方向を検知する検知手段と、
前記検知手段が原稿画像の原稿方向を検知できなかった場合、前記選択手段により選択された原稿方向から前記原稿画像の回転角度を設定する第１の回転角度設定手段と、
前記検知手段が原稿画像の原稿方向を検知できた場合、該検知された原稿方向から前記原稿画像の回転角度を設定する第２の回転角度設定手段と、
前記第１の回転角度設定手段又は前記第２の回転角度設定手段により設定された回転角度に従って前記読取手段により読み取られた原稿画像の回転処理を行う回転手段と、
前記回転手段により回転処理された原稿画像を送信する送信手段と、
を有することを特徴とする画像形成装置。
【請求項３】
前記画質設定が特定の設定の場合とは、前記画質設定として写真モードが設定されていた場合を示すことを特徴とする請求項２に記載の画像形成装置。
【請求項４】
前記送信手段は、インターネットファックス、電子メール、ＦＴＰによる送信、及び、メモリメディアへの保存をすることを特徴とする請求項１乃至３のいずれか１項に記載の画像形成装置。
【請求項５】
画像形成装置の制御方法であって、
読取手段が、原稿から原稿画像を読取る読取ステップと、
検知手段が、前記読取ステップで読み取られた原稿画像の原稿方向を検知する検知ステップと、
選択手段が、前記検知ステップにて原稿画像の原稿方向を検知できなかった場合、前記読取ステップで読み取られた原稿画像を表示して該原稿画像の原稿方向の選択を受け付ける選択ステップと、
第１の回転角度設定手段が、前記選択ステップで選択された原稿方向から前記原稿画像の回転角度を設定する第１の回転角度設定ステップと、
第２の回転角度設定手段が、前記検知ステップにて原稿画像の原稿方向を検知できた場合、該検知された原稿方向から前記原稿画像の回転角度を設定する第２の回転角度設定ステップと、
回転手段が、前記第１の回転角度設定ステップ又は前記第２の回転角度設定ステップにて設定された回転角度に従って前記読取ステップにて読み取られた原稿画像の回転処理を行う回転ステップと、
送信手段が、前記回転ステップにて回転処理された原稿画像を送信する送信手段と、
を有することを特徴とする画像形成装置の制御方法。
【請求項６】
画像形成装置の制御方法であって、
読取設定手段が、読取手段による読取り処理における画質設定及び解像度設定を受け付けつ読取設定ステップと、
選択手段が、前記読取手段による原稿の読取り前に、前記読取設定ステップにて設定された画質設定が特定の設定の場合、又は、前記読取設定ステップにより設定された解像度設定が特定の解像度より低い解像度の場合、前記読取手段により読み取る原稿画像の原稿方向の選択を受け付ける選択ステップと、
読取手段が、原稿から原稿画像を読取る読取ステップと、
検知手段が、前記読取ステップにて読み取られた原稿画像の原稿方向を検知する検知ステップと、
第１の回転角度設定手段が、前記検知ステップにて原稿画像の原稿方向を検知できなかった場合、前記選択ステップにて選択された原稿方向から前記原稿画像の回転角度を設定する第１の回転角度設定ステップと、
第２の回転角度設定手段が、前記検知ステップにて原稿画像の原稿方向を検知できた場合、該検知された原稿方向から前記原稿画像の回転角度を設定する第２の回転角度設定ステップと、
回転手段が、前記第１の回転角度設定ステップ又は前記第２の回転角度設定ステップにて設定された回転角度に従って前記読取ステップにて読み取られた原稿画像の回転処理を行う回転ステップと、
送信手段が、前記回転ステップにて回転処理された原稿画像を送信する送信手段と、
を有することを特徴とする画像形成装置の制御方法。
【請求項７】
請求項５又は６に記載された画像形成装置の制御方法を、画像形成装置のプロセッサに実行させるためのプログラム。
【発明の詳細な説明】
【技術分野】
【０００１】
本発明は、原稿画像を読取り通信媒体を介して原稿画像を外部装置に送信する画像形成装置の制御に関する。
【背景技術】
【０００２】
従来の画像形成装置には、インターネットファックス、電子メール、ＦＴＰによる送信や、ＵＳＢメモリなどのメモリメディアに保存する機能を備えるものが提供されている。この画像形成装置は、原稿画像を読取り、ネットワーク、若しくは、ＵＳＢによるインターフェースを介して、外部装置に原稿画像を送信することが可能となっている。また、送信時のファイル形式は、パーソナルコンピュータ（ＰＣ）の普及によりＪＰＥＧ、ＴＩＦＦ、ＰＤＦによるファイル形式を送信することが可能となっている。
【０００３】
例えば、この画像形成装置では、文字認識処理（ＯＣＲ）を施すＰＤＦファイルを送信するとき、文字認識時に原稿画像の向きを自動検知し、その回転角度に従って回転処理を行ってから送信することができる。そして、受信側のＰＣでは、メールに添付されたＰＤＦファイルを開くとユーザ視点で適切な向きで表示することが可能になっている。
【０００４】
そして、このような送信画像の回転処理について、以下のような技術が提案されている。
特許文献１には、読取原稿画像の文字方向を検出（文字認識処理）し、回転させ送信する技術が開示されている。
特許文献２には、読取った原稿画像の上下方向を揃えて送信する技術が開示されている。
特許文献３には、原稿をプレスキャンしてプレビュー画面に表示し、必要に応じて回転ボタンによりプレビュー画像を回転させ指定された回転角度で送信する技術が開示されている。
【先行技術文献】
【特許文献】
【０００５】
【特許文献１】特開平８−２２８２７５号公報
【特許文献２】特開平９−２３３３１０号公報
【特許文献３】特開２００１−４５２３９号公報
【発明の概要】
【発明が解決しようとする課題】
【０００６】
しかしながら、上記の従来の画像形成装置においては、原稿画像を読取り、ネットワーク、若しくは、ＵＳＢによるインターフェースを介し、外部装置に原稿画像を送信する際、文字認識処理等による回転検知が得られない（原稿の向きを検知できない）ときがある。例えば、低解像度、若しくは、写真による設定がされているときに、原稿画像を読取った向きのまま送信されてしまう。
【０００７】
このため、ユーザは、ＰＣ上でファイルを開くと期待する原稿画像の向きのファイルが得られず（例えば、右向き・左向きで読取った原稿画像が上向きに表示されない）、再度、送信しなければならないという問題があった。
【０００８】
本発明は、上記の問題点を解決するためになされたものである。本発明の目的は、読み取った原稿をユーザが期待する原稿の向きでファイル化して送信でき、ユーザによる再送信の負担を軽減し、操作性の向上を図ることができる仕組みを提供することである。
【課題を解決するための手段】
【０００９】
本発明は、原稿から原稿画像を読取る読取手段と、前記読取手段により読み取られた原稿画像の原稿方向を検知する検知手段と、前記検知手段が原稿画像の原稿方向を検知できなかった場合、前記読取手段により読み取られた原稿画像を表示して該原稿画像の原稿方向の選択を受け付ける選択手段と、前記選択手段により選択された原稿方向から前記原稿画像の回転角度を設定する第１の回転角度設定手段と、前記検知手段が原稿画像の原稿方向を検知できた場合、該検知された原稿方向から前記原稿画像の回転角度を設定する第２の回転角度設定手段と、前記第１の回転角度設定手段又は前記第２の回転角度設定手段により設定された回転角度に従って前記読取手段により読み取られた原稿画像の回転処理を行う回転手段と、前記回転手段により回転処理された原稿画像を送信する送信手段とを有することを特徴とする。
【発明の効果】
【００１０】
発明によれば、読み取った原稿をユーザが期待する原稿の向きでファイル化して送信でき、ユーザによる再送信の負担を軽減し、操作性の向上を図ることができる。
【図面の簡単な説明】
【００１１】
【図１】本発明の一実施例を示す画像形成装置の構成を示すブロック図である。
【図２】実施例１の画像形成装置における送信処理手順の一例を示すフローチャートである。
【図３】本発明の画像形成装置の送信設定画面の一例を示す図である。
【図４】実施例２の画像形成装置における送信処理手順の一例を示すフローチャートである。
【発明を実施するための形態】
【００１２】
以下、本発明を実施するための形態について図面を用いて説明する。
本実施形態では、画像形成装置を例に説明するが、本発明はこれに限定されるものではない。
【実施例１】
【００１３】
図１は、本発明の一実施例を示す画像形成装置の構成を示すブロック図である。
図１において、１００は画像形成装置である。画像形成装置１００において、１０１はＣＰＵであり、装置全体を制御するプロセッサである。１０２はＲＯＭであり、ＣＰＵの制御プログラムを格納するものである。１０３は、ＲＡＭであり、ＳＲＡＭ等で構成され、プログラム制御変数等を格納するためのものである。また、ＲＡＭ１０３は、オペレータが設定した送信設定など各種設定値、装置の管理データ類、各種ワーク用バッファも格納される。１０４は蓄積メモリであり、ＤＲＡＭ等で構成され、画像データを蓄積するものである。
【００１４】
１０５は外部表示部であり、ＬＣＤ、ＬＥＤ等でユーザに表示通知するためのものである。１０６は操作部であり、キーボード、タッチパネル等で構成され、オペレータが各種入力操作を行うためのものである。１０７はスピーカであり、音声によってユーザに通知、警告をしたり、後述する通信回線１１５を通して送受している信号音をモニターしたりするものである。
【００１５】
１０８は画像処理部であり、読取られた画像データの補正処理や回転処理を施して高精細な画像データを出力するものである。１０９はスキャナであり、ＣＳイメージセンサ、原稿搬送機構などで構成され、原稿を光学的に読取って電気的な画像データに変換するものである。
【００１６】
１１０はプリンタフォーマッタであり、例えば、ワークステーションなどからのファイルデータのプリントを行う際に、プリンタ記述言語を解析し、画像データに変換するものである。１１１は記録部であり、受信画像やファイルデータを記録紙に記録する装置である。
【００１７】
１１２はＭＯＤＥＭであり、ＦＡＸ送受信信号の変復調を行うものである。１１３はＮＣＵであり選択信号（ダイヤルパルス、または、トーンダイヤラ）を、通信回線制御部１１４を介して通信回線１１５に送出する機能を有し、呼び出し音の検出による自動着信も行うものである。
【００１８】
１１５は通信回線であり、一般公衆回線網（ＰＳＴＮ，ＩＳＤＮ回線等）である。１１６は、ＵＳＢ Ｉ／Ｆであり、ＵＳＢメモリ等のメモリメディアに原稿画像を送信するためのインターフェースである。
【００１９】
１１７は、ネットワークＩ／Ｆであり、後述するＬＡＮに接続されたパーソナルコンピュータ（ＰＣ）やファイルサーバーと本実施形態における画像形成装置とのインターフェースである。このインターフェースにより、例えば、ＰＣからのプリントや本実施形態における画像形成装置からＰＣ等へ原稿画像を送信することができる。
【００２０】
１１８は、ＬＡＮ（ローカルエリアネットワーク網）であり、本実施形態における画像形成装置と同様に、ＰＣ、複写機、プリンタなどが接続されている。
以上に構成される画像形成装置１００における実施例１に関わる送信処理手順について、図２、図３を用いて説明する。
図２は、実施例１の画像形成装置における送信処理手順の一例を示すフローチャートである。
図３は、本発明の画像形成装置の送信設定画面の一例を示す図である。
なお、図２のフローチャートに示す処理は、ＣＰＵ１０１がＲＯＭ１０２等にコンピュータ読み取り可能に記録されたプログラムを読み出して実行することにより実現される。
まず、Ｓ１において、ＣＰＵ１０１は、インターネットファックス、電子メール、ＦＴＰ、ＳＭＢによる送信、又は、メモリメディアへの保存を行うための送信設定を受け付けるように、外部表示部１０５や操作部１０６を制御する。ここでは、予め外部装置へ送信するための宛先や通信モード、そして、解像度、画質、ファイル形式などを設定を受け付ける。
【００２１】
一例として、解像度、画質、ファイル形式の設定について、図３（ａ）、図３（ｂ）、図３（ｃ）を用いて説明する。
図３（ａ）は、原稿画像を読込むための解像度設定画面であり、図示しないメイン画面から「解像度設定」が選択されることによりＣＰＵ１０１により表示制御される。図３（ａ）の画面において、ユーザは、［１００×１００ｄｐｉ］〜［６００×６００ｄｐｉ］の中から所望の解像度を選択することができる。
【００２２】
図３（ｂ）は、原稿画像を読込むための画質設定画面であり、図示しないメイン画面から「画質設定」が選択されることによりＣＰＵ１０１により表示制御される。図３（ｂ）の画面において、ユーザは、［文字］、［文字／写真］、「写真」の中から所望の画質を選択することができる。
【００２３】
図３（ｃ）は、読み込んだ原稿画像を外部装置に送信する際のファイル形式の設定画面であり、図示しないメイン画面から「ファイル形式の設定」が選択されることによりＣＰＵ１０１により表示制御される。図３（ｃ）の画面において、ユーザは、［ＴＩＦＦ］、［ＰＤＦ］「ＪＰＥＧ」等の中から所望のファイル形式を選択することができる。
【００２４】
ＣＰＵ１０１は、図示しないメイン画面におけるユーザ操作に応じて、図３（ａ）、図３（ｂ）、図３（ｃ）等の画面を外部表示部１０５に表示し、操作部１０６から、解像度設定、画質設定、ファイル形式の設定を受け付ける。なお、図示しないが、宛先（メールアドレス、ＦＴＰアドレス、ＳＭＢ宛先、メモリメディアの指定等）や、送信モード（インターネットファックス、電子メール、ＦＴＰ、ＳＭＢ、メモリメディアへの保存等）を設定する画面も表示されるものとする。
【００２５】
そして、操作部１０６からの設定処理が終了すると（操作部１０６の図示しないスタートボタンが押下されたことを検知すると）、ＣＰＵ１０１はＳ２に処理を進める。なお、ユーザが設定しなかった項目の設定値は、予め設定された値（デフォルト値）が用いられるものとする。
【００２６】
次にＳ２では、ＣＰＵ１０１は、スキャナ１０９の原稿台に載置された原稿から原稿画像を読取り、Ｓ３において、Ｓ２で読取った原稿画像を蓄積メモリ１０４に保存し、Ｓ４に処理を進める。
【００２７】
Ｓ４では、ＣＰＵ１０１は、Ｓ２で読取った原稿画像に対して文字認識や画像認識処理などを施し、原稿の向き（原稿方向）を判定して該原稿方向から回転角度を算出する回転検知処理を行い、Ｓ５に処理を進める。なお、この回転検知処理では、検出された文字や記号の天地方向等から原稿の天地方向（原稿方向）を判定する。なお、顔認識により認識された人物や動物の顔の天地方向や、植物や建築物の天地方向等から原稿の天地方向（原稿方向）を判定してもよい。本発明では、原稿方向の検知方法については限定しない。そして、該判定された原稿方向が、その原稿画像から作成されたファイルを出力（表示や印刷）した際に天地方向に出力されるように原稿画像の回転角度を決定する。
【００２８】
Ｓ５では、ＣＰＵ１０１は、回転検知が有る（回転検知処理で原稿の向きが判定でき回転角度を算出できた）か否かを判定する。回転検知が有りの場合は、Ｓ６に処理を移行させる。
【００２９】
Ｓ６では、ＣＰＵ１０１は、回転検知した回転角度（原稿の向きの判定結果から算出した回転角度）を、原稿画像の回転処理の回転角度としてセットし、そしてＳ１０に処理を移行させる。例えば、ＣＰＵ１０１は、原稿画像の向きを「上向き」と判定した場合「０度」、「左向き」と判定した場合「右９０度」、「右向き」と判定し場合「左９０度」、「下向き」と判定した場合「１８０度」を原稿画像の回転処理の回転角度としてセットする。
【００３０】
一方、上記Ｓ５において、回転検知が無い（原稿の向きを判定できなかった）と判定した場合（Ｓ５でＮｏ）、ＣＰＵ１０１は、Ｓ７に処理を移行させる。
Ｓ７では、ＣＰＵ１０１は、図３（ｄ）に示す原稿画像の向きの設定確認表示を外部表示部１０５に表示し、原稿画像が「上向き」、「左向き」、「右向き」、「下向き」の何れであるかを選択する操作を受け付けるように制御する。
【００３１】
Ｓ８において、ＣＰＵ１０１は、操作部１０６から原稿画像が「上向き」、「左向き」、「右向き」、「下向き」の何れであるかの選択を受け付けると、Ｓ９に処理を移行させる。
【００３２】
Ｓ９では、ＣＰＵ１０１は、Ｓ８で受け付けた原稿画像の向きに対応する回転角度を、原稿画像の回転処理の回転角度としてセットし、そしてＳ１０に処理を移行させる。なお、「上向き」が選択された場合「０度」、「左向き」が選択された場合「右９０度」、「右向き」が選択された場合「左９０度」、「下向き」が選択された場合「１８０度」が、原稿画像の回転処理の回転角度としてセットされる。
【００３３】
Ｓ１０では、ＣＰＵ１０１は、Ｓ６（第２の回転角度設定）でセットされた回転角度又はＳ９（第１の回転角度設定）でセットされた回転角度に従い、画像処理部１０８に原稿画像の回転処理を実行させ、Ｓ１１に処理を移行させる。
Ｓ１１では、ＣＰＵ１０１は、上記Ｓ１で予め指定されたファイル形式に従って、送信するためのファイル（送信ファイル）を生成する。
次にＳ１２において、ＣＰＵ１０１は、上記Ｓ１１で生成した送信ファイルを、予め指定された宛先、通信モードにて送信し、処理を終了する。
実施例１によれば、原稿画像を読取って外部装置に原稿画像を送信する場合、原稿画像の文字認識処理において回転検知が得られないときでも、原稿画像の向きの確認と指定をすることで、所望の原稿画像の向きでファイルを生成して送信することが可能となる。例えば、インターネットファックス、電子メール、ＦＴＰ、ＳＭＢによる送信、及び、メモリメディアへの送信が可能となる。また、原稿画像の回転検知を得られた場合には、ユーザの確認や指定なしで、原稿画像の回転処理が実行されて、ユーザを煩わせることがなく、使い勝ってのよい画像形成装置を提供できる。
【実施例２】
【００３４】
次に、本発明の実施例２に関わる送信処理手順について、図４を用いて説明する。
図４は、実施例２の画像形成装置における送信処理手順の一例を示すフローチャートである。なお、図４のフローチャートに示す処理は、ＣＰＵ１０１がＲＯＭ１０２等にコンピュータ読み取り可能に記録されたプログラムを読み出して実行することにより実現される。
【００３５】
まず、Ｓ２１において、ＣＰＵ１０１は、インターネットファックス、電子メール、ＦＴＰによる送信、及び、メモリメディアへの保存を行うための送信設定を受け付けるように、外部表示部１０５や操作部１０６を制御する。ここでは、予め外部装置へ送信するための宛先や通信モード、ファイル形式、そして、解像度、画質当等のスキャナ１０９の読取設定などの設定を受け付ける。
【００３６】
ＣＰＵ１０１は、図示しないメイン画面におけるユーザ操作に応じて、図３（ａ）、図３（ｂ）、図３（ｃ）等の画面を外部表示部１０５に表示し、操作部１０６から、解像度設定、画質設定、ファイル形式の設定を受け付ける。なお、図示しないが、宛先（メールアドレス、ＦＴＰアドレス、ＳＭＢ宛先、メモリメディアの指定等）や、送信モード（インターネットファックス、電子メール、ＦＴＰ、ＳＭＢ、メモリメディアへの保存等）を設定する画面も表示されるものとする。
【００３７】
そして、操作部１０６からの設定処理が終了すると（操作部１０６の図示しないスタートボタンが押下されたことを検知すると）、ＣＰＵ１０１はＳ２２に処理を進める。なお、ユーザが設定しなかった項目の設定値は、予め設定された値（デフォルト値）が用いられるものとする。
【００３８】
Ｓ２２では、ＣＰＵ１０１は、ＪＯＢ開始時に、画質の設定が特定の設定（本実施例では［写真モード］）なのか否かを判定する。［写真モード］の場合は、Ｓ２４に処理を移行させ、一方、［写真モード］以外、例えば、「文字モード」又は「文字／写真モード」の場合は、Ｓ２３に処理を移行させる。
【００３９】
Ｓ２３では、ＣＰＵ１０１は、解像度の設定が特定の解像度より低い解像度（「低解像度」）なのか否かを判断する。「低解像度」の場合（例えば、ノーマル（２００×１００ｄｐｉ）以下の場合）は、Ｓ２４に処理を移行させ、一方、「低解像度」以外の場合は、Ｓ２７に処理を移行させる。
【００４０】
Ｓ２４では、ＣＰＵ１０１は、原稿画像の向きの設定確認表示を外部表示部１０５に表示し、原稿画像が「上向き」、「左向き」、「右向き」、「下向き」の何れであるかを選択する操作を受け付けるように制御する。なお、ここでは、まだ原稿画像が読み取られていないため、スキャナ１０９の原稿台の天地方向に対する、原稿台に載置された原稿の向きを模式的に表示して、原稿画像の向きを選択させるものとする。なお、ここでプレスキャンを行って、プレスキャン画像を表示させて原稿画像の向きを選択させるように構成してもよい。
【００４１】
Ｓ２５において、ＣＰＵ１０１は、操作部１０６から原稿画像が「上向き」、「左向き」、「右向き」、「下向き」の何れであるかの選択を受け付けると、Ｓ２６に処理を移行させる。
【００４２】
Ｓ２６では、ＣＰＵ１０１は、Ｓ２５で受け付けた原稿画像の向きに対応する回転角度をＲＡＭ１０３上のワークメモリに設定し、そしてＳ２７に処理を移行させ。なお、「上向き」が選択された場合「０度」、「左向き」が選択された場合「右９０度」、「右向き」が選択された場合「左９０度」、「下向き」が選択された場合「１８０度」が、原稿画像の向きに対応する回転角度として設定される。
【００４３】
Ｓ２７では、ＣＰＵ１０１は、スキャナ１０９の原稿台に載置された原稿から原稿画像を読取り、Ｓ２８において、Ｓ２７で読取った原稿画像を蓄積メモリ１０４に保存し、Ｓ２９に処理を進める。
【００４４】
Ｓ２９では、ＣＰＵ１０１は、Ｓ２７で読取った原稿画像に対して文字認識や画像認識処理などを施し、回転検知処理を行い、Ｓ３０に処理を進める。なお、回転検知処理については実施例１と同様である。
【００４５】
Ｓ３０では、ＣＰＵ１０１は、回転検知が有る（回転検知処理で原稿の向きが判定でき回転角度を算出できた）か否かを判定する。回転検知が有りの場合は、Ｓ３１に処理を移行させる。
【００４６】
Ｓ３１では、ＣＰＵ１０１は、回転検知した回転角度（原稿の向きの判定結果から算出した回転角度）を、原稿画像の回転処理の回転角度としてセットし（第２の回転角度設定）、Ｓ３３に処理を移行させる。例えば、ＣＰＵ１０１は、原稿画像の向きを「上向き」と判定した場合「０度」、「左向き」と判定した場合「右９０度」、「右向き」と判定し場合「左９０度」、「下向き」と判定した場合「１８０度」を原稿画像の回転処理の回転角度としてセットする。
【００４７】
一方、上記Ｓ３０において、回転検知が無い（原稿の向きを判定できなかった）と判定した場合（Ｓ３０でＮｏ）、ＣＰＵ１０１は、Ｓ３２に処理を移行させる。
Ｓ３２では、上記Ｓ２６にて予め設定した原稿画像の向き設定の回転角度を、原稿画像の回転処理の回転角度としてセットし（第１の回転角度設定）、そしてＳ３３に処理を移行させる。
Ｓ３３では、ＣＰＵ１０１は、Ｓ３１又はＳ３２でセットされた回転角度に従い、画像処理部１０８に原稿画像の回転処理を実行させ、Ｓ３４に処理を移行させる。
Ｓ３４では、ＣＰＵ１０１は、上記Ｓ２１で予め指定されたファイル形式に従って、送信するためのファイル（送信ファイル）を生成する。
次にＳ３５において、ＣＰＵ１０１は、上記Ｓ１１で生成した送信ファイルを、予め指定された宛先、通信モードにて送信し、処理を終了する。
実施例２によれば、低解像度設定、若しくは、写真設定による送信の場合、予め原稿画像の向きの確認と指定をすることによって、原稿画像の文字認識処理において、回転検知が得られないときでも、所望の原稿画像の向きでファイルを生成し送信することが可能となる。例えば、インターネットファックス、電子メール、ＦＴＰ、ＳＭＢによる送信、及び、メモリメディアへの送信が可能となる。
【００４８】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００４９】
また、上記各実施例を組み合わせた構成も全て本発明に含まれるものである。
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５０】
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００５１】
１００    画像形成装置
１０１    ＣＰＵ
１０２    ＲＯＭ
１０３    ＲＡＭ
１０４    蓄積メモリ
１０５    外部表示部
１０６    操作部
１０７    スピーカ
１０８    画像処理部
１０９    スキャナ
１１６    ＵＳＢ Ｉ／Ｆ
１１７    ネットワークＩ／Ｆ
１１８    ＬＡＮ（ネットワーク網）
【図１】
2012044345.tif 000003
【図２】
2012044345.tif 000004
【図３】
2012044345.tif 000005
【図４】
2012044345.tif 000006